(57)【要約】【課題】撮影対象である書画情報を撮影する際に、その撮影状態を慎重にマニュアル調整しなくても、書画情報を常に最適な状態で撮影できるようにする。【解決手段】ＣＰＵ１は、実際の撮影を行う前に撮影対象である書画情報をモニタ撮影したモニタ画像を取得した際に、このモニタ画像を解析することによって書画情報が含まれている書画領域を特定すると共に、この書画領域が当該モニタ画像枠に対して所定の状態となるようにカメラ撮影部７を駆動制御して書画情報の撮影条件を変更する。【選択図】  図1
2005311926.tif 000002
【特許請求の範囲】
【請求項１】
書画情報を撮影した撮影画像を記録保存する電子カメラであって、
実際の撮影を行う前に撮影対象である書画情報を仮撮影した撮影画像を取得した際、この撮影画像を解析することによって書画情報が含まれている書画領域を特定する特定手段と、
この特定手段によって特定された書画領域が当該仮撮影した画像領域に対して所定の状態となるように、光学系を駆動制御して書画情報の撮影条件を変更する制御手段と、
を具備し、前記変更後の撮影条件下で実撮影された画像を記録保存するようにしたことを特徴とする電子カメラ。
【請求項２】
前記特定手段は、書画情報が含まれている書画領域を特定する場合に、予め決められている書画領域の特徴情報を参照し、この特徴情報に該当する部分を書画領域として特定する、
ようにしたことを特徴とする請求項1記載の電子カメラ。
【請求項３】
前記制御手段は、前記特定された書画領域が当該仮撮影の画像領域内の中心部分に位置するように、光学系を駆動制御して撮影方向を変更する、
ようにしたことを特徴とする請求項1記載の電子カメラ。
【請求項４】
前記制御手段は、前記特定された書画領域が当該仮撮影の画像領域内に収まり、かつ、その領域サイズと同等となるように、光学系を駆動制御して撮影倍率を変更する、
ようにしたことを特徴とする請求項1記載の電子カメラ。
【請求項５】
書画情報を撮影する書画撮影モードと任意の被写体を撮影する通常撮影モードとを任意に切り換えるモード切換手段を設け、
前記書画撮影モードに切り換えられている状態において、書画情報を仮撮影した撮影画像内の書画領域を特定すると共に、この書画領域が当該仮撮影した画像領域に対して所定の状態となるように、光学系を駆動制御して書画情報の撮影条件を変更する、
ようにしたことを特徴とする請求項1記載の電子カメラ。
【請求項６】
前記制御手段によって変更された撮影条件下で実撮影された際に、この撮影画像を解析することによって特定された書画領域の全体が方形となるように、その形状を補正する補正処理手段を設け、
この補正処理手段によって形状補正された書画領域内の画像を記録保存する、
ようにしたことを特徴とする請求項1記載の電子カメラ。
【請求項７】
前記補正処理手段は、前記特定された書画領域の全体が方形となるように、その形状を補正するフォルム最適化処理を実行した後、このフォルム最適化処理によって補正された方形の書画領域内から所定の画像情報を抽出するフィルタリング処理を実行する、
ようにしたことを特徴とする請求項６記載の電子カメラ。
【請求項８】
コンピュータに対して、
実際の撮影を行う前に撮影対象である書画情報を仮撮影した撮影画像を取得した際、この撮影画像を解析することによって書画情報が含まれている書画領域を特定する機能と、
特定された書画領域が当該仮撮影した画像領域に対して所定の状態となるように、光学系を駆動制御して書画情報の撮影条件を変更する機能と、
変更後の撮影条件下で実撮影された画像を記録保存する機能と、
を実現させるためのプログラム。
【発明の詳細な説明】
【技術分野】
【０００１】
この発明は、書画情報を撮影して記録保存する電子カメラおよびプログラムに関する。
【背景技術】
【０００２】
従来、文字、図形、画像などの書画情報を撮影して記録保存する電子カメラとしては、例えば、被写体を載せる台にアームを介して取り付けられているカメラ本体を有し、被写体とカメラ本体を動かすことなく、被写体の撮影位置を移動するようにした書画カメラが知られている（特許文献１参照）。また、名刺、葉書き、カタログ、看板、掲示板などに書かれた文字情報をデジタルカメラで撮影して取得した画像の歪みを補正するために、歪み補正の対象となる四角形の画像を抽出し、これを歪みのない長方形に補正するようにした歪み補正方法・装置が知られている（特許文献２参照）。
【特許文献１】特開平１０−２２９５１５号公報
【特許文献２】特開２００３−５８８７７号公報
【発明の開示】
【発明が解決しようとする課題】
【０００３】
しかしながら、特許文献１の書画カメラにあっては、被写体の撮影位置を移動するスライド部材なども必要となり、装置全体が大掛かりなものとなる。また、特許文献２の歪み補正方法・装置にあっては、カメラ撮影後に撮影画像内から抽出した四角形の画像を歪みのない長方形に補正するものであるが、撮影後の画像補正を前提としているため、例えば、元の四角形の画像が最適な状態で撮影されていない場合、つまり、小さ過ぎる画像の場合や一部が欠けている画像の場合などでは、歪み補正を施したとしても、好ましい文字情報を得ることができない。例えば、名刺をカメラ撮影した場合に、名刺の撮影状態が悪いと、名刺内の文字が不鮮明になったり、名刺の枠全体を四角形として輪郭抽出することができなくなるため、名刺の撮影時には、レンズを向ける方向を微調整しながらズーム操作を行うなど、慎重な撮影を余儀なくされ、撮影者に大きな負担をかけるという問題があった。
【０００４】
この発明の課題は、撮影対象である書画情報を撮影する際に、その撮影状態を慎重にマニュアル調整しなくても、書画情報を常に最適な状態で撮影できるようにすることである。
【課題を解決するための手段】
【０００５】
請求項１記載の発明は、書画情報を撮影した撮影画像を記録保存する電子カメラであって、実際の撮影を行う前に撮影対象である書画情報を仮撮影した撮影画像を取得した際に、この撮影画像を解析することによって書画情報が含まれている書画領域を特定する特定手段と、この特定手段によって特定された書画領域が当該仮撮影した画像領域に対して所定の状態となるように、光学系を駆動制御して書画情報の撮影条件を変更する制御手段とを具備し、前記変更後の撮影条件下で実撮影された画像を記録保存するようにしたことを特徴とする。
更に、コンピュータに対して、上述した請求項１記載の発明に示した主要機能を実現させるためのプログラムを提供する（請求項８記載の発明）。
【０００６】
なお、請求項１記載の発明は次のようなものであってもよい。
前記特定手段は、書画情報が含まれている書画領域を特定する場合に、予め決められている書画領域の特徴情報を参照し、この特徴情報に該当する部分を書画領域として特定する（請求項２記載の発明）。
【０００７】
前記制御手段は、前記特定された書画領域が当該仮撮影の画像領域内の中心部分に位置するように、光学系を駆動制御して撮影方向を変更する（請求項３記載の発明）。
【０００８】
前記制御手段は、前記特定された書画領域が当該仮撮影の画像領域内に収まり、かつ、その領域サイズと同等となるように、光学系を駆動制御して撮影倍率を変更する（請求項４記載の発明）。
【０００９】
書画情報を撮影する書画撮影モードと任意の被写体を撮影する通常撮影モードとを任意に切り換えるモード切換手段を設け、前記書画撮影モードに切り換えられている状態において、書画情報を仮撮影した撮影画像内の書画領域を特定すると共に、この書画領域が当該仮撮影した画像領域に対して所定の状態となるように、光学系を駆動制御して書画情報の撮影条件を変更する（請求項５記載の発明）。
【００１０】
前記制御手段によって変更された撮影条件下で実撮影が行われた際に、この撮影画像を解析することによって特定された書画領域の全体が方形となるように、その形状を補正する補正処理手段を設け、この補正処理手段によって形状補正された書画領域内の画像を記録保存する（請求項６記載の発明）。
【００１１】
前記補正処理手段は、前記特定された書画領域の全体が方形となるように、その形状を補正するフォルム最適化処理を実行した後、このフォルム最適化処理によって補正された方形の書画領域内から所定の画像情報を抽出するフィルタリング処理を実行する（請求項７記載の発明）。
【発明の効果】
【００１２】
請求項１記載の発明によれば、実際の撮影を行う前に撮影対象である書画情報を仮撮影した撮影画像を取得した際、この撮影画像を解析することによって書画情報が含まれている書画領域を特定すると共に、この書画領域が当該仮撮影した画像領域に対して所定の状態となるように光学系を駆動制御して書画情報の撮影条件を変更するようにしたから、撮影対象である書画情報を撮影する際に、その撮影状態を慎重にマニュアル調整しなくても、書画情報を常に最適な状態で撮影することができ、撮影者の負担を大幅に軽減できる他、最適な状態で実撮影された画像に各種の補正を施す場合にその補正を正確に行うことが可能となる。
【００１３】
請求項２記載の発明によれば、上述した請求項１記載の発明と同様の効果を有する他、書画情報が含まれている書画領域を特定する場合に、予め決められている書画領域の特徴情報を参照し、この特徴情報に該当する部分を書画領域として特定するようにしたから、例えば、名刺、葉書きなどの定型用紙、ホワイトボード、掲示板などの定型物を撮影したとしても、名刺、葉書き、ホワイトボードの撮影部分を書画領域として容易に特定することができる。
【００１４】
請求項３記載の発明によれば、上述した請求項１記載の発明と同様の効果を有する他、特定された書画領域が仮撮影の画像領域内の中心部分に位置するように、光学系を駆動制御して撮影方向を変更するようにしたから、書画領域を常に適正な位置で撮影することが可能となる。
【００１５】
請求項４記載の発明によれば、上述した請求項１記載の発明と同様の効果を有する他、特定された書画領域が仮撮影の画像領域内に収まり、かつ、その領域サイズと同等となるように、光学系を駆動制御して撮影倍率を変更するようにしたから、常に最大倍率での撮影が可能となる。
【００１６】
請求項５記載の発明によれば、上述した請求項１記載の発明と同様の効果を有する他、通常撮影モードと書画撮影モードとを切り換え可能としたから、必要に応じて通常撮影／書画撮影を適宜切り換えることが可能となり、書画カメラとしての専用カメラに限らず、一般の通常カメラとしても使用可能となる。
【００１７】
請求項６記載の発明によれば、上述した請求項１記載の発明と同様の効果を有する他、変更された撮影条件下で実撮影が行われた際に、この撮影画像を解析することによって特定された書画領域の全体を方形に補正した後、補正された書画領域内の画像を記録保存するようにしたから、歪みのない画像を記録保存することができる。
【００１８】
請求項７記載の発明によれば、上述した請求項１記載の発明と同様の効果を有する他、書画領域の全体が方形となるようにその形状を補正するフォルム最適化処理を実行した後、このフォルム最適化処理によって補正された方形の書画領域内から所定の画像情報を抽出するフィルタリング処理を実行するようにしたから、ノイズを除去したり、文字などの所望する画像情報のみを記録保存することができる。
【発明を実施するための最良の形態】
【００１９】
以下、図１〜図９を参照して本発明の実施例を説明する。
図１は、この実施例における電子カメラの全体構成の概要を示したブロック図である。
この電子カメラは、持ち運び自由な携帯型のデジタルスチルカメラであり、例えば、会社等における商談会、報告会、審議会などのビジネスミーティング用のカメラとして使用可能なもので、各種の資料、名刺、葉書き、カタログ、ホワイトボードなどを撮影対象として、それらに記載されている文字、図形、画像などの書画情報を撮影する書画カメラであるが、書画情報を撮影する以外にも、人物、風景などの一般的な被写体を撮影する通常のカメラとしても使用可能となっている。
【００２０】
このデジタルスチルカメラは、書画情報を撮影対象とする際に、その時の撮影状態を慎重にマニュアル調整しなくても、書画情報を常に最適な状態で撮影できるようにしたことを特徴とするものである。つまり、被写体である書画情報に対してレンズを向ける方向、ズーム倍率、焦点を厳密にマニュアル調整しなくても、書画情報を最適な状態で撮影できるようにしたものである。
なお、この実施例の特徴部分を詳述する前に、この実施例のハードウェア上の構成について以下、説明しておく。
【００２１】
ＣＰＵ１は、記憶部２内のオペレーティングシステムや各種アプリケーションソフトに従ってこのデジタルスチルカメラの全体動作を制御する中央演算処理装置である。記憶部２は、ハードディスク等の固定的なメモリであり、プログラム記憶領域とデータ記憶領域とを有している。この記憶部２内のプログラム記憶領域には、後述する図６〜図８に示す動作手順に従って本実施例を実現する為のアプリケーションプログラムが格納されている。このプログラムやデータは、必要に応じてワークメモリ３にロードされたり、このワークメモリ３内のデータが記憶部２にセーブされる。なお、記録メディア４は、ＤＶＤ等の着脱自在なメモリであり、記憶部２やワークメモリ３との間においてプログラムや画像データ等の受け渡しを行う。
【００２２】
一方、ＣＰＵ１には、その入出力周辺デバイスである操作部５、表示部６、カメラ撮影部７がバスラインを介して接続されており、入出力プログラムに従ってＣＰＵ１は、これらの入出力デバイスの動作制御を行う。
操作部５は、シャッターボタンＳＴ、ズームボタンＷＤの他、後述するノーマルモード／書画モード／書画・加工モードに切り換えるモードボタンＭＤ等、各種のファンクションボタンを有し、その操作信号はＣＰＵ１に与えられる。表示部６は、例えば、タッチパネル付きの液晶表示部であり、モニタ画面／ファインダ画面／画像再生画面として使用される。
【００２３】
カメラ撮影部７は、撮影レンズ、ミラー等のレンズ・ミラーブロック、ＣＣＤイメージセンサ等の撮像素子、その駆動系等を備えたもので、ＣＰＵ１は、光学ズーム機能を調整制御したり、レンズの向き(撮影方向)を調整制御したり、オートフォーカス時の駆動制御、シャッター駆動制御、露出、ホワイトバランス等を制御する。すなわち、図２は、カメラ撮影部７の詳細な構成を示した図で、カメラ撮影部７には、撮影レンズ７１、撮影制御部７２、撮像処理部７３を有し、ＣＰＵ1は、撮影制御部７２に対してズーム駆動制御、フォーカス駆動制御、露出駆動制御、シャッター駆動制御、ホワイトバランス制御を行うと共に、撮影レンズ７１の向きを駆動制御して撮影方向の調整を行うが、その際、撮影レンズ７１の向きを左右／上下方向に駆動して撮影方向を調整するようにしている。なお、ＣＰＵ１は、撮像処理部７３内のＣＣＤイメージセンサから画像メモリ８を介して撮影画像を取り込んで記録メディア４に記録保存するようにしている。
【００２４】
ここで、上述したモードボタンＭＤは、ノーマルモード／書画モード／書画・加工モードに切り換えるもので、「ノーマルモード」は、人物、風景などの一般的な被写体を通常撮影する動作モードである。また、「書画モード」は、撮影対象である書画情報を撮影する際に、その撮影状態(光学ズーム、撮影方向)をマニュアル調整しなくても、書画情報を常に最適な状態で撮影可能とするために、光学系の駆動制御を行う動作モードである。「書画・加工モード」は、上述した書画モードと、この書画モードによって得られた画像に各種の補正を施すことによって画像加工を行う加工モードとを併せ持ったモードである。つまり、書画モードにおいて書画情報の撮影条件を自動調整することによって最適な状態で実撮影された画像に対し、予め決められている各種の補正処理を施した後、この画像を記録保存するようにした動作モードである。
【００２５】
すなわち、「書画モード」は、実際の撮影を行う前に撮影対象である書画情報を仮撮影したモニタ画像を取得した際に、ＣＰＵ１は、このモニタ画像を解析することによって書画情報が含まれている書画領域を特定すると共に、この書画領域が当該モニタ画像の枠領域に対して最適な撮影状態となるように、光学ズームを自動調整したり、レンズの向き(撮影方向)を自動調整して書画情報の撮影条件を変更した後に、この撮影条件下で実撮影された画像を記録保存するようにした自動撮影モードである。ここで、ＣＰＵ１は、書画領域がモニタ画像枠に対して最適な撮影状態となるように、撮影方向を自動調整する場合、書画領域がモニタ画像枠内の中心部分に位置するように、レンズの向き(撮影方向)を自動調整したり、また、書画領域がモニタ画像枠内に収まり、かつ、その枠サイズと略同等となるように、光学ズームを自動調整するようにしている。
【００２６】
図３および図４は、モニタ画像枠に対して書画領域が最適な状態となるように、撮影レンズの向き(撮影方向)をどのように自動調整するかを説明するための図である。
ここで、モニタ画像の中心点をＸＹ座標系の原点とした場合に、ＣＰＵ１は、書画情報が含まれている書画領域の中心点を求めると共に、この書画領域の中心点と原点とを比較することによって、書画領域の偏り方向およびその偏り割合を求め、この偏り割合が許容範囲内、つまり、書画領域がモニタ画像枠の中心部分にあるか否かをチェックすることによってモニタ画像に対して書画領域が最適な状態にあるか否かを判別し、書画領域がモニタ画像の枠領域内の中心部分に位置するように、撮影方向を自動調整するようにしている。
【００２７】
図中、「偏り割合」は、書画領域の中心点が原点に対して偏っている割合を横・縦方向に対応付けて示したもので、図３(Ａ)の例では、横＋４０％、縦０％、図３(Ｂ)の例では、横０％、縦０％、図３(Ｃ)の例では、横−６０％、縦−４０％の場合を示している。この場合、許容範囲を±２０％以内とすると、図３(Ａ)および(Ｃ)の場合には、許容範囲外となり、その偏り方向および偏り割合に応じて撮影方向の自動調整が行われる。なお、図４は、書画領域がＸ軸の＋／−方向に偏っている場合、その偏り方向および偏り割合に応じてレンズの向き(撮影方向)が左／右方向に自動調整されることを示している。
【００２８】
図５は、モニタ画像の枠領域に対して書画領域が最適な状態、つまり、モニタ画像枠に対して最大サイズとなるように、光学ズームをどのように自動調整するかを説明するための図である。
ここで、書画領域がモニタ画像の枠領域内の略中心部分に位置するように、撮影レンズの向きを自動調整した後において、ＣＰＵ１は、モニタ画像枠に対して書画領域が最適な状態となるように、光学ズームを自動調整する。すなわち、書画領域を１段階毎にズームインしながら、モニタ画像枠から書画領域がはみ出したか否かをチェックし、書画領域の一部がモニタ画像枠からはみ出した時点で１段階のズームアウトを行うことによって書画領域がモニタ画像枠に対して最大サイズとなるように自動調整するようにしている。
【００２９】
上述の「書画・加工モード」において実撮影された画像に対して各種の補正処理を施して記録保存する場合、ＣＰＵ１は、実撮影された画像から書画領域を抽出すると共に、この書画領域の全体が方形(例えば、長方形)となるように、その形状全体を補正するフォルム最適化処理(角度補正処理および台形補正処理) を実行した後、このフォルム最適化処理によって補正された方形の書画領域内から所定の画像情報を抽出するフィルタリング処理を実行し、更には、抽出した画像情報を鮮明に読み取れるようにその色合いを補正する色調補正処理を実行して記録保存するようにしている。
【００３０】
次に、この実施例におけるデジタルスチルカメラの動作概念を図６〜図８に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００３１】
図６〜図８は、撮影スイッチがオン操作された際に実行開始されるデジタルスチルカメラの全体動作を示したフローチャートである。
先ず、ＣＰＵ１は、撮影スイッチがオン操作されると、ノーマルモードに初期設定した後(ステップＳ１)、カメラ撮影部７からモニタ画像を取得して画像メモリ８にセットすると共に(ステップＳ２)、モニタ画面に表示出力させる(ステップＳ３)。ここで、ボタン操作の有無をチェックし(ステップＳ４)、何らかのボタンが操作されるまでステップＳ２に戻って待機状態となるが、ボタン操作を検出した際には、操作ボタンの種類を判別し、モードボタンＭＤが操作されたか(ステップＳ５)、ズームボタンＷＤが操作されたか(ステップＳ６)、シャッターボタンかその他のボタンが操作されたかを調べる(ステップＳ７)。
【００３２】
いま、初期設定時のノーマルモードにおいて、ズームボタンＷＤが操作された際には(ステップＳ６でＹＥＳ)、そのズームイン／ズームアウト操作に応じて光学ズームの駆動を制御する(ステップＳ９)。また、シャッターボタンが操作された際には(ステップＳ７でＹＥＳ)、ノーマルモードにセットされていることを条件に(ステップＳ１０)、シャッター操作時の撮影画像を画像メモリ８から取得して直交変換方式(離散コサイン変換方式)に従ってデータ圧縮を行った後(ステップＳ１１)、この圧縮画像を記録メディア４に記録保存させる通常の動作を行う(ステップＳ１２)。なお、ノーマルモードにおいて、その他のボタンが操作された際には(ステップＳ７でＮＯ)、操作ボタンに応じた他の処理を実行した後(ステップＳ１３)、モニタ画像の取得処理に戻る(ステップＳ２)。
【００３３】
また、モードボタンＭＤが操作された場合には(ステップＳ５でＹＥＳ)、モードボタンＭＤが操作される毎に、ノーマルモード／書画モード／書画・加工モードにサイクリックに切り換えるモード変更処理が行われる(ステップＳ８)。すなわち、ノーマルモードにセットされている場合には書画モードへの切り換えが行われ、書画モードにセットされている場合には書画・加工モードへの切り換えが行われ、書画・加工モードにセットされている場合にはノーマルモードへの切り換えが行われる。いま、ノーマルモードから書画モードに切り換えられた状態において、シャッターボタンが操作された際には、ステップＳ７、Ｓ１０でそのことが判別されて図７のステップＳ１５〜Ｓ２６の実行に移り、書画情報を最適な状態で撮影可能とするために光学系の自動調整が行われる。
【００３４】
すなわち、画像メモリ８の領域内(モニタ画像枠内)において、このモニタ画像全体を解析することによって特定形状の画像部分(被写体部分)を書画領域として認識する (ステップＳ１５)。この場合、予め設定されている書画領域の特徴情報、つまり、名刺、葉書き、カタログ、ホワイトボードなどの形状特性(例えば、四角形)を参照し、この特徴情報に一致する形状の画像部分が存在しているかをチェックし、有れば、その画像部分を書画領域として認識して書画領域の特定を行う。このようにして書画領域を特定すると、図３に示したように、書画領域の中心点を求めると共に、この書画領域の中心点とモニタ画像枠の原点とを比較することによって書画領域の偏り方向およびその偏り割合を求め(ステップＳ１６)、この偏り割合が許容範囲内、つまり、書画領域がモニタ画像枠の中心部分にあるか否かをチェックすることによってモニタ画像に対して書画領域が最適な状態にあるか否かを判別する(ステップＳ１７)。
【００３５】
ここで、書画領域の偏り割合が許容範囲内であれば(ステップＳ１７でＮＯ)、撮影レンズ７１の向きを変更することなく、次のステップＳ２０に移るが、偏り割合が許容範囲外であれば、撮影レンズ７１の向きを自動調整する処理が行われる(ステップＳ１８)。すなわち、書画領域の偏り方向およびその偏り割合に応じて撮影レンズ７１の向きを駆動制御することによって撮影条件(撮影方向)を変更する。これによって書画領域がモニタ画像枠の中心部分に位置するようにその撮影方向の自動調整が行われる。そして、ＣＰＵ１は、撮影方向を自動調整した直後のモニタ画像をカメラ撮影部７から取得して画像メモリ８にセットする(ステップＳ１９)。
【００３６】
次に、モニタ画像枠に対して書画領域が最適な状態(最大サイズ)となるように光学ズームを自動調整する処理が行われる。すなわち、光学ズームの現在のセット状態をチェックし、ズームイン倍率がその最大値(例えば、光学４倍)未満であることを条件に(ステップＳ２０)、光学ズームを１段階(例えば、0.5倍)だけズームイン駆動すると共に、フォーカス制御を行う(ステップＳ２１)。これによって書画領域が拡大撮影されると、ＣＰＵ１は、ズームイン直後のモニタ画像をカメラ撮影部７から取得して画像メモリ８にセットすると共に(ステップＳ２２)、この画像メモリ８内の撮影画像を解析し、書画領域がモニタ画像枠から溢れたか(はみ出したか)否かをチェックし(ステップＳ２３)、書画領域がモニタ画像枠内であれば(ステップＳ２４でＮＯ)、上述のステップＳ２０に戻る。
【００３７】
以下、ズームイン倍率がその最大値に達するか(ステップＳ２０)、書画領域がモニタ画像枠から溢れるまで(ステップＳ２４)、光学ズームを１段階毎にズームイン駆動しながら画像メモリ８の書き込み画像を順次更新してゆく。ここで、書画領域がモニタ画像枠から溢れる前にズームイン倍率がその最大値に達した場合には、図８のステップＳ３１に移るが、ズームイン倍率がその最大値に達する前に書画領域がモニタ画像枠から溢れた場合には、１段階のズームアウト駆動を行うと共に(ステップＳ２５)、ズームアウト直後の撮影画像をカメラ撮影部７から取得して画像メモリ８にセットした後(ステップＳ２６)、図８のステップＳ３１に移る。
【００３８】
図８のステップＳ３１は、現在の動作モードを判別するもので、「書画モード」にセットされている場合には(ステップＳ３１でＮＯ)、その時点のモニタ画像を画像メモリ８から取得して直交変換方式に従ってデータ圧縮を行い(ステップＳ４０)、この圧縮画像を記録メディア４に記録保存させた後(ステップＳ３９)、図６のステップＳ２に戻ってモニタ画像の取得を行う。また、「書画・加工モード」にセットされている場合には、画像メモリ８から取得したモニタ画像をワークメモリ３(加工メモリ)にセットした後(ステップＳ３２)、この加工メモリ内において、そのモニタ画像全体を解析しながら書画領域を特定して書画領域の抽出を行う(ステップＳ３３)。
【００３９】
そして、ＣＰＵ１は、抽出した書画領域に対して角度補正を施す(ステップＳ３４)。例えば、長方形の名刺を撮影した際にその真上から撮影せず、斜め方向から撮影したものとすると、名刺の全体形状は、カメラ位置からの遠近差によって台形の状態で撮影されるが、このように書画領域が傾いて撮影された場合には、その傾きに応じて書画領域を回転させる角度補正を行う。図９(Ａ)は、抽出した書画領域を示し、図９(Ｂ)は、角度補正後の画像を示している。次に、角度補正後の書画領域(台形)を元の方形(長方形)に補正する台形補正を施す(ステップＳ３５)。この場合、台形の短辺(上辺に相当する部分)をその長辺(下辺に相当する部分)に合わせ込むために、書画領域を伸張して書画領域を元の方形(長方形)に補正する。図９(Ｃ)は、台形補正後の画像を示している。
【００４０】
このようにして書画領域のフォルム最適化処理が実行されると、補正後の方形の書画領域内からノイズ除去と共に、所定の画像情報(例えば、文字などの画像情報)を抽出するフィルタリング処理を実行し(ステップＳ３６)、更には、抽出した画像情報を鮮明に読み取れるようにその色合いを補正する色調補正処理を実行する(ステップＳ３７)。このようにして得られた画像情報を直交変換方式に従ってデータ圧縮を行い(ステップＳ３８)、この圧縮画像を記録メディア４に記録保存させた後(ステップＳ３９)、図６のステップＳ２に戻ってモニタ画像の取得を行う。
【００４１】
以上のように、この実施例のデジタルスチルカメラにおいてＣＰＵ１は、実際の撮影を行う前に撮影対象である書画情報をモニタ撮影したモニタ画像を取得した際、このモニタ画像を解析することによって書画情報が含まれている書画領域を特定すると共に、この書画領域が当該モニタ画像枠に対して所定の状態となるようにカメラ撮影部７の撮影制御部７２を駆動制御して書画情報の撮影条件を変更するようにしたから、撮影対象である書画情報を撮影する際に、その撮影状態を慎重にマニュアル調整しなくても、書画情報を常に最適な状態で撮影することができ、撮影者の負担を大幅に軽減できる他、最適な状態で実撮影された画像に各種の補正を施す場合にその補正を正確に行うことが可能となる。
【００４２】
ここで、ノーマルモードと書画モードとを切り換え可能としたから、必要に応じて通常撮影／書画撮影を任意に切り換えることが可能となり、書画カメラとしての専用カメラに限らず、一般の通常カメラとしても使用可能となる。この書画モードにおいて、ＣＰＵ１は、書画情報が含まれている書画領域を特定する場合に、予め決められている書画領域の特徴情報を参照し、この特徴情報に該当する部分を書画領域として認識してその特定を行うようにしたから、例えば、名刺、葉書きなどの定型用紙、ホワイトボード、掲示板などの定型物を撮影したとしても、名刺、葉書き、ホワイトボードの撮影部分を書画領域として容易に特定することができる。
【００４３】
また、ＣＰＵ１は、特定した書画領域がモニタ画像枠内の中心部分に位置するように、レンズの向きを駆動制御して撮影方向を変更するようにしたから、書画領域を常に適正な位置で撮影することが可能となる。更に、特定した書画領域がモニタ画像枠内に収まり、かつ、その枠サイズと同等となるように、光学ズームを駆動制御して撮影倍率を変更するようにしたから、常に最大倍率での撮影が可能となる。
【００４４】
また、変更された撮影条件下で実撮影が行われた際に、ＣＰＵ１は、この撮影画像を解析することによって特定された書画領域の全体が方形となるように、その形状を補正するフォルム最適化処理を実行した後、補正された書画領域内の画像を記録保存するようにしたから、歪みのない画像を記録保存することができる。更に、フォルム最適化処理を実行した後、このフォルム最適化処理によって補正された方形の書画領域内から所定の画像情報を抽出するフィルタリング処理を実行するようにしたから、ノイズを除去したり、文字などの所望する画像情報のみを記録保存することができる。
【００４５】
なお、上述した実施例においては、モニタ画像内の書画領域を特定する際に、予め設定されている名刺、葉書き、カタログ、ホワイトボードなどの形状特性(例えば、四角形)を参照し、この形状特性に一致する画像部分を書画領域として特定するようにしたが、形状特性に限らず、例えば、色特性、構成特性などを書画領域の特徴情報として設定するようにしてもよい。また、書画領域を特定する際に、形状特性と共に、その形状領域内に文字情報が含まれているか否かを判別するようにしたが、書画情報は、文字情報に限らず、記号、図形、写真等の画像等であってもよい。
【００４６】
上述した実施例においては、レンズの向きを駆動制御して撮影方向を自動変更したり、光学ズームを駆動制御して撮影倍率を自動変更するようにしたが、光学系の駆動制御としては、その他に、絞りを駆動制御して露出を自動変更するようにしてもよい。
【００４７】
上述した実施例においては、自動調整後の撮影条件下で実撮影された画像を記録保存する際に、書画領域内から抽出した画像のみを記録保存するようにしたが、自動調整後の撮影条件下で実撮影された撮影画像の全体を記録保存したり、この撮影画像から抽出した書画領域のみを記録保存するようにしてもよい。
【００４８】
また、上述した実施例においては、フォルム最適化処理を実行した後、このフォルム最適化処理によって補正された方形の書画領域内から所定の画像情報を抽出するフィルタリング処理を実行すると共に、抽出した画像情報を鮮明に読み取れるようにその色合いを補正する色調補正処理を実行したが、フィルタリング処理、色調補正処理は、カメラ側で行わず、パーソナルコンピュータなどの他の電子機器で行うようにしてもよい。
【００４９】
更に、上述した実施例においては、商談会、報告会、審議会などでの各種の資料、名刺、葉書き、カタログ、ホワイトボードなどを撮影対象とするビジネスミーティング用の携帯型書画カメラに適用した場合を示したが、プロジェクターのオプションとして、その書画台にアームを介して取り付けた書画カメラであってもよい。この場合、プロジェクターから書画カメラを取り外し可能として、ホワイトボードなどを撮影可能としてもよく、更には、ビジネスミーティング用に限らず、一般用など任意の用途にも適用可能であることは勿論である。
【００５０】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、実際の撮影を行う前に撮影対象である書画情報を仮撮影した撮影画像を取得した際、この撮影画像を解析することによって書画情報が含まれている書画領域を特定する機能と、特定された書画領域が当該仮撮影した画像領域に対して所定の状態となるように、光学系を駆動制御して書画情報の撮影条件を変更する機能と、変更後の撮影条件下で実撮影された画像を記録保存する機能とを実現させるためのプログラムを記録したコンピュータが読み取り可能な記録媒体を提供するようにしてもよい。
【図面の簡単な説明】
【００５１】
【図１】電子カメラの全体構成の概要を示したブロック図。
【図２】カメラ撮影部７の詳細な構成を示した図。
【図３】(Ａ)〜(Ｃ)は、モニタ画像の枠領域に対して書画領域が最適な状態となるように、撮影レンズの向き(撮影方向)をどのように自動調整するかを説明するための図。
【図４】書画領域がＸ軸の＋／−方向に偏っている場合、その偏り方向および偏り割合に応じてレンズの向き(撮影方向)が左／右方向に自動調整されることを示した図。
【図５】モニタ画像の枠領域に対して書画領域が最適サイズとなるように、光学ズームをどのように自動調整するかを説明するための図。
【図６】撮影スイッチがオン操作された際に実行開始されるデジタルスチルカメラの全体動作を示したフローチャート。
【図７】図６に続く、デジタルスチルカメラの全体動作を示したフローチャート。
【図８】図７に続く、デジタルスチルカメラの全体動作を示したフローチャート。
【図９】(Ａ)は、抽出した書画領域を示した図、(Ｂ)は、角度補正後の画像を示した図、 (Ｃ)は、台形補正後の画像を示した図。
【符号の説明】
【００５２】
１  ＣＰＵ
２  記憶部
４  記録メディア
５  操作部
６  表示部
７  カメラ撮影部
８  画像メモリ
７２  撮影制御部
７３  撮像処理部
ＳＴ  シャッターボタン
ＭＤ  モードボタン
【図１】
2005311926.tif 000003
【図２】
2005311926.tif 000004
【図３】
2005311926.tif 000005
【図４】
2005311926.tif 000006
【図５】
2005311926.tif 000007
【図６】
2005311926.tif 000008
【図７】
2005311926.tif 000009
【図８】
2005311926.tif 000010
【図９】
2005311926.tif 000011